【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
ユーザによって話された発話を処理するための方法であって、
プロセッサを備える電子デバイスにおいて、
音センサによって入力音を受信するステップと、
前記入力音中の前記発話を検出するステップと、
前記発話を検出することに応答して、前記発話の特定された第1の周波数範囲の第1の特性および前記発話の特定された第2の周波数範囲の第2の特性を決定するステップであって、前記第2の周波数範囲が、前記第1の周波数範囲とは異なる、ステップと、
前記プロセッサの発話方向決定ユニットによって、前記第1の特性に基づくとともに前記第2の特性に基づいて、前記発話の発信方向が前記電子デバイスに向けたものであるかどうかを決定するステップであって、前記プロセッサが、発話方向検出の表示に基づいて前記発話中のコマンドを認識するように構成される、ステップと、
前記第1の特性に基づくとともに前記第2の特性に基づいて前記発話の前記発信方向が前記電子デバイスに向けたものであるとの決定に応答して、前記電子デバイスにおいて前記認識されたコマンドに関連する機能を開始するステップと
を含む、方法。
【請求項２】
前記第1の周波数範囲が、前記第2の周波数範囲よりも高く、前記表示が、比率、スペクトル平坦度、または前記電子デバイスが前記コマンドのターゲットデバイスであることを示す外部デバイスからのメッセージのうちの1つまたは複数を含む、請求項1に記載の方法。
【請求項３】
前記発話の前記発信方向が前記電子デバイスに向けたものであるとの決定に応答して、前記発話中の前記コマンドを認識するステップと、
前記認識されたコマンドに関連する前記機能を実行するステップと
をさらに含む、請求項1に記載の方法。
【請求項４】
前記第1の特性が、前記第1の周波数範囲に関連する第1のエネルギー値を含み、
前記第2の特性が、前記第2の周波数範囲に関連する第2のエネルギー値を含む、請求項1に記載の方法。
【請求項５】
前記発話の発信方向が前記電子デバイスに向けたものであるかどうかを決定するステップが、
前記第1のエネルギー値と前記第2のエネルギー値の比率を決定するステップであって、前記比率が、前記入力音の信号強度とは無関係である、ステップと、
前記比率に基づいて、前記発話の前記発信方向が前記電子デバイスに向けたものであると決定するステップと
を含む、請求項4に記載の方法。
【請求項６】
前記第1の周波数範囲および前記第2の周波数範囲が、前記プロセッサの周波数分析ユニットによって特定され、
前記発話方向決定ユニットが、前記第1の特性、第2の特性、および前記表示に基づいて、前記発話のターゲットが前記電子デバイスであるか、それとも外部デバイスであるかを決定する、請求項1に記載の方法。
【請求項７】
前記発話を検出するステップと、前記第1の特性および前記第2の特性を決定するステップと、前記発話の前記発信方向が前記電子デバイスに向けたものであるかどうかを決定するステップと、前記機能を開始するステップとが、モバイル通信デバイスを含むデバイス内で実行される、請求項1に記載の方法。
【請求項８】
前記発話を検出するステップと、前記第1の特性および前記第2の特性を決定するステップと、前記発話の前記発信方向が前記電子デバイスに向けたものであるかどうかを決定するステップと、前記機能を開始するステップとが、固定ロケーション通信デバイスを含むデバイス内で実行される、請求項1に記載の方法。
【請求項９】
電子デバイスであって、
入力音を受信するように構成された音センサと、
前記入力音中のユーザによって話された発話を検出するように構成された発話検出器と、
前記発話を検出することに応答して、前記発話の特定された第1の周波数範囲の第1の特性および前記発話の特定された第2の周波数範囲の第2の特性を決定するように構成された周波数分析器であって、前記第2の周波数範囲が、前記第1の周波数範囲とは異なる、周波数分析器と、
前記第1の特性に基づくとともに前記第2の特性に基づいて、前記発話の発信方向が前記電子デバイスに向けたものであるかどうかを決定するように構成された発話方向決定器を備えるプロセッサであって、前記プロセッサが、発話方向検出の表示に基づいて前記発話中のコマンドを認識するように構成される、プロセッサと、
前記第1の特性に基づくとともに前記第2の特性に基づいて前記発話の前記発信方向が前記電子デバイスに向けたものであるとの決定に応答して、前記電子デバイスにおいて前記認識されたコマンドに関連する機能を開始するように構成された回路と
を備える、電子デバイス。
【請求項１０】
前記第1の周波数範囲が、前記第2の周波数範囲よりも高い、請求項9に記載の電子デバイス。
【請求項１１】
前記発話方向決定器が、
前記第1の特性および前記第2の特性に関連する比率に基づいて前記発話の前記発信方向が前記電子デバイスに向けたものであると決定するように構成される、請求項9に記載の電子デバイス。
【請求項１２】
前記発話の前記発信方向が前記電子デバイスに向けたものであるとの決定に応答して、前記発話中のコマンドを認識するように構成された発話認識器をさらに備える、請求項9に記載の電子デバイス。
【請求項１３】
前記第1の特性が、前記第1の周波数範囲に関連する第1のエネルギー値を含み、
前記第2の特性が、前記第2の周波数範囲に関連する第2のエネルギー値を含み、
前記発話方向決定器が、前記第1のエネルギー値と前記第2のエネルギー値の比率を決定し、前記比率に基づいて、前記発話の前記発信方向が前記電子デバイスに向けたものであると決定するように構成され、前記比率が、前記入力音の信号強度とは無関係である、請求項9に記載の電子デバイス。
【請求項１４】
前記第1の周波数範囲および前記第2の周波数範囲を特定するように構成された周波数分析器
をさらに備える、請求項9に記載の電子デバイス。
【請求項１５】
前記発話方向決定器が、前記第1の特性、前記第2の特性、および前記表示に基づいて、前記発話のターゲットが前記電子デバイスであるか、それとも外部デバイスであるかを決定するように構成される、請求項9に記載の電子デバイス。
【請求項１６】
アンテナと、
前記アンテナに結合され、特定の入力音に対応する信号を受信するように構成された受信機と
をさらに備える、請求項9に記載の電子デバイス。
【請求項１７】
前記発話検出器と、前記周波数分析器と、前記発話方向決定器と、前記回路と、前記受信機と、前記アンテナとが、モバイル通信デバイスに組み込まれている、請求項16に記載の電子デバイス。
【請求項１８】
前記発話検出器と、前記周波数分析器と、前記発話方向決定器と、前記回路と、前記受信機と、前記アンテナとが、固定ロケーション通信デバイスに組み込まれている、請求項16に記載の電子デバイス。
【請求項１９】
電子デバイスであって、
入力音を受信するための手段と、
前記入力音中にユーザによって話された発話を検出するための手段と、
前記発話を検出することに応答して、前記発話の特定された第1の周波数範囲の第1の特性および前記発話の特定された第2の周波数範囲の第2の特性を決定するための手段であって、前記第2の周波数範囲が、前記第1の周波数範囲とは異なる、手段と、
情報を処理するための手段であって、前記情報を処理するための手段が、前記発話の方向を決定するための手段を備えるとともに発話方向検出の表示に基づいて前記発話中のコマンドを認識するように構成され、前記発話の方向を決定するための手段が、前記第1の特性に基づくとともにおよび前記第2の特性に基づいて、前記発話の発信方向が前記電子デバイスに向けたものであるかどうかを決定するように構成される、手段と、
前記第1の特性に基づくとともに前記第2の特性に基づいて前記発話の前記発信方向が前記電子デバイスに向けたものであるかどうかの決定に応答して、前記電子デバイスにおいて前記認識されたコマンドに関連する機能を開始するための手段と
を備える、電子デバイス。
【請求項２０】
前記発話の前記発信方向が前記電子デバイスに向けたものであるとの決定に応答して、前記発話中の音声コマンドを認識するための手段
をさらに備える、請求項19に記載の電子デバイス。
【請求項２１】
前記第1の特性が、前記第1の周波数範囲に関連する第1のエネルギー値を含み、
前記第2の特性が、前記第2の周波数範囲に関連する第2のエネルギー値を含む、請求項19に記載の電子デバイス。
【請求項２２】
前記発話の前記方向を決定するための前記手段が、
前記第1のエネルギー値と前記第2のエネルギー値の比率を決定することと、
前記比率に基づいて、前記発話の前記発信方向が前記電子デバイスに向けたものであると決定することと
を行うように構成される、請求項21に記載の電子デバイス。
【請求項２３】
前記発話の前記方向を決定するための前記手段が、前記第1の特性、前記第2の特性、および前記表示に基づいて、前記発話のターゲットが前記電子デバイスであるか、それとも外部デバイスであるかを決定するように構成される、請求項19に記載の電子デバイス。
【請求項２４】
前記発話を検出するための手段と、前記第1の特性および前記第2の特性を決定するための手段と、前記発話の前記方向を決定するための手段と、前記開始するための手段とが、モバイル通信デバイスに組み込まれている、請求項19に記載の電子デバイス。
【請求項２５】
前記発話を検出するための手段と、前記第1の特性および前記第2の特性を決定するための手段と、前記発話の前記方向を決定するための手段と、前記開始するための手段とが、固定ロケーション通信デバイスに組み込まれている、請求項19に記載の電子デバイス。
【請求項２６】
命令を含む、コンピュータ可読記憶媒体であって、
電子デバイスの少なくとも1つのプロセッサに、
音センサによって受信された入力音に基づいて、特定された第1の周波数範囲および特定された第2の周波数範囲を有する入力信号を受信する動作であって、前記第2の周波数範囲が、前記第1の周波数範囲とは異なる、動作と、
前記入力信号中にユーザによって話された発話を検出する動作と、
前記発話を検出することに応答して、前記第1の周波数範囲に関連する前記入力信号の第1の特性および前記第2の周波数範囲に関連する前記入力信号の第2の特性を決定する動作と、
前記入力信号の前記第1の特性に基づくとともに前記入力信号の前記第2の特性に基づいて、前記発話の発信方向が前記電子デバイスに向けたものであるかどうかを決定する動作であって、前記命令が、前記少なくとも1つのプロセッサに、発話方向検出の表示に基づいて前記発話中のコマンドを認識させるように構成される、動作と、
前記第1の特性に基づくとともに前記第2の特性に基づいて前記発話の前記発信方向が前記電子デバイスに向けたものであるとの決定に応答して、前記電子デバイスにおいて前記認識されたコマンドに関連する機能を開始する動作と
を実行させる前記命令を含む、コンピュータ可読記憶媒体。
【請求項２７】
前記少なくとも1つのプロセッサに、
前記発話の前記発信方向が前記電子デバイスに向けたものであるとの決定に応答して、前記入力信号中の音声コマンドを認識させる命令をさらに含む、請求項26に記載のコンピュータ可読記憶媒体。
【請求項２８】
前記入力信号の前記第1の特性が、前記第1の周波数範囲に関連する第1のエネルギー値を含み、
前記入力信号の前記第2の特性が、前記第2の周波数範囲に関連する第2のエネルギー値を含む、請求項26に記載のコンピュータ可読記憶媒体。
【請求項２９】
前記発話の発信方向が前記電子デバイスに向けたものであるかどうかを決定することが、
前記入力信号の前記第1の特性と前記入力信号の前記第2の特性の比率を決定することと、
前記比率に基づいて、前記発話の前記発信方向が前記電子デバイスに向けたものであると決定することと
を含む、請求項26に記載のコンピュータ可読記憶媒体。
【請求項３０】
前記少なくとも1つのプロセッサに、
前記第1の周波数範囲および前記第2の周波数範囲を特定する動作と、
前記入力信号の前記第1の特性、前記入力信号の前記第2の特性、および前記表示に基づいて、前記発話のターゲットが前記電子デバイスであるかどうかを決定する動作と
を実行させる命令をさらに含む、請求項26に記載のコンピュータ可読記憶媒体。